(57)【要約】【課題】ネットワークに接続された複数の画像形成装置と情報処理装置とから成る画像形成システムにおいて、画像形成に際してユーザが所望する画像処理を画像データに対して施すときに効率的に画像処理を完了させることができる画像形成システムを提供することである。【解決手段】サーバが、クライアントのそれぞれからそれぞれの処理能力情報を受信する処理能力情報受信手段と、前記処理能力情報受信手段によって受信した処理能力情報に基づいて、前記第１の画像データ受信手段によって受信した画像データに対する画像処理を分散し前記クライアントのそれぞれに送信する第２の画像データ送信手段とを有することを特徴とする。【選択図】　図１
2004021740.tif 000002
【特許請求の範囲】
【請求項１】
画像データに基づいて用紙に画像を形成する画像形成装置と、画像データに対して画像処理を施す複数の情報処理装置とをネットワークで接続して成る画像形成システムにおいて、
前記画像形成装置が、前記複数の情報処理装置のうちの所定の１台をサーバとするサーバ決定手段と、画像データとともに該画像データに対して施して欲しい画像処理に関する情報を前記サーバに送信する第１の画像データ送信手段とを有し、
前記サーバが、前記複数の情報処理装置のうち該サーバ以外の所定の装置をクライアントとするクライアント決定手段と、前記第１の画像データ送信手段からの画像データおよび画像処理に関する情報を受信する第１の画像データ受信手段と、前記クライアントのそれぞれからそれぞれの処理能力情報を受信する処理能力情報受信手段と、前記処理能力情報受信手段によって受信した処理能力情報に基づいて、前記第１の画像データ受信手段によって受信した画像データに対する画像処理を分散し前記クライアントのそれぞれに送信する第２の画像データ送信手段とを有し、
前記クライアントが、前記サーバに対して自機の処理能力を示す処理能力情報を送信する処理能力情報送信手段と、前記第２の画像データ送信手段からの画像データおよび画像処理に関する情報を受信する第２の画像データ受信手段と、前記第２の画像データ受信手段によって受信した画像データに対する画像処理を実行する画像処理手段とを有する
ことを特徴とする画像形成システム。
【請求項２】
前記クライアントが、前記画像処理手段によって画像処理を施した画像データを前記サーバに送信する第３の画像データ送信手段を有し、
前記サーバが、前記第３の画像データ送信手段からの画像データを受信する第３の画像データ受信手段と、前記第３の画像データ受信手段によって受信した画像データを前記画像形成装置に送信する第４の画像データ送信手段とを有し、
前記画像形成装置が、前記第４の画像データ送信手段からの画像データを受信する第４の画像データ受信手段を有する
ことを特徴とする請求項１に記載の画像形成システム。
【請求項３】
前記サーバが、前記第２の画像データ送信手段によって画像データを送信した後、前記第３の画像データ受信手段によって画像データを受信するまでの間、前記第２の画像データ送信手段によって画像データを送信したクライアントに対して稼動中かを問い合わせる問合せ手段を有し、
前記クライアントが、前記第２の画像データ受信手段によって画像データを受信した後、第３の画像データ送信手段によって画像データを送信するまでの間、前記問合せ手段による問い合わせに応答する応答手段を有することを特徴とする請求項２に記載の画像形成システム。
【請求項４】
前記処理能力情報送信手段によって送信する処理能力情報が自機のＣＰＵ速度であることを特徴とする請求項１に記載の画像形成システム。
【請求項５】
前記処理能力情報送信手段によって送信する処理能力情報が自機のベンチマーク結果であることを特徴とする請求項１に記載の画像形成システム。
【発明の詳細な説明】
【０００１】
【発明の属する技術分野】
本発明は画像形成システムに関し、詳しくは画像形成装置と情報処理装置とがネットワークで接続されて成る画像形成システムに関する。
【０００２】
【従来の技術】
従来から、画像が記録された原稿から画像を読み取り画像データとして出力する画像読取手段と、画像データに基づいて用紙等に画像を形成する画像形成手段とを有するディジタル複写機等の画像形成装置がよく知られている。
【０００３】
このような画像形成装置では、たとえば、画像読取手段によって読み取った画像データに対してトリミング等の簡単な画像処理を施し、この画像処理を施した画像データに基づいて画像形成手段が画像形成を行うことができる。
【０００４】
また、従来からネットワーク環境で用いられる画像形成システムが提供されている。
【０００５】
この画像形成システムは、たとえば、ディジタル複写機等の画像形成装置と、この画像形成装置に対して画像のスキャン（読み取り）やプリント（印刷）を指示するパソコンやワークステーション等の情報処理装置とがネットワークで相互に接続されて構成される。また、ネットワークに複数の画像形成装置や複数の情報処理装置が接続される構成もとり得る。
【０００６】
このような画像形成システムにおいては、たとえば情報処理装置から画像形成装置に対して画像の読み取りを指示し、画像形成装置が読み取った画像を情報処理装置に転送するスキャナモードとしての利用法が知られている。
【０００７】
従来の画像形成システムでは、たとえばこのスキャナモードで画像形成装置が読み取った画像の画像データを情報処理装置に転送し、この画像データを受け取った情報処理装置では、画像データを画像ファイルとしてそのままたとえばハードディスクに保存したり、その画像ファイルを必要に応じて画像形成装置に転送して画像形成を行うことができる。
【０００８】
また、特開２００１−３３３２３７号公報には、画像データに対して様々な画像処理を施す際に、その画像処理を画像形成装置において施すか、それともネットワークを介して情報処理装置に画像データを転送しこの情報処理装置において画像処理を施すかを、ユーザが選択することができる画像形成システムが開示されている。
【０００９】
このように従来の画像形成システムとしては、ネットワークで接続された他の装置に画像処理を施させることにより画像処理の分散処理を行う画像形成システムが知られている。
【００１０】
【発明が解決しようとする課題】
ところが、上述のような従来の分散処理を行う画像形成システムでは画像処理の分散処理を可能としただけであって、画像処理の効率すなわち画像処理を分散したことによる処理完了までの時間短縮に関しては考慮されてはいない。
【００１１】
このため、従来の画像形成システムでは、単純に処理の分散を行った結果、場合によっては処理を分散させなかった場合よりも処理完了までの時間がかかってしまうことがあるという問題があった。
【００１２】
本発明は上記の点にかんがみてなされたもので、ネットワークに接続された複数の画像形成装置と情報処理装置とから成る画像形成システムにおいて、画像形成に際してユーザが所望する画像処理を画像データに対して施すときに効率的に画像処理を完了させることができる画像形成システムを提供することを目的とする。
【００１３】
【課題を解決するための手段】
本発明は上記の目的を達成するために、画像データに基づいて用紙に画像を形成する画像形成装置と、画像データに対して画像処理を施す複数の情報処理装置とをネットワークで接続して成る画像形成システムにおいて、前記画像形成装置が、前記複数の情報処理装置のうちの所定の１台をサーバとするサーバ決定手段と、画像データとともに該画像データに対して施して欲しい画像処理に関する情報を前記サーバに送信する第１の画像データ送信手段とを有し、前記サーバが、前記複数の情報処理装置のうち該サーバ以外の所定の装置をクライアントとするクライアント決定手段と、前記第１の画像データ送信手段からの画像データおよび画像処理に関する情報を受信する第１の画像データ受信手段と、前記クライアントのそれぞれからそれぞれの処理能力情報を受信する処理能力情報受信手段と、前記処理能力情報受信手段によって受信した処理能力情報に基づいて、前記第１の画像データ受信手段によって受信した画像データに対する画像処理を分散し前記クライアントのそれぞれに送信する第２の画像データ送信手段とを有し、前記クライアントが、前記サーバに対して自機の処理能力を示す処理能力情報を送信する処理能力情報送信手段と、前記第２の画像データ送信手段からの画像データおよび画像処理に関する情報を受信する第２の画像データ受信手段と、前記第２の画像データ受信手段によって受信した画像データに対する画像処理を実行する画像処理手段とを有することを特徴とする。
【００１４】
また、本発明は、前記クライアントが、前記画像処理手段によって画像処理を施した画像データを前記サーバに送信する第３の画像データ送信手段を有し、前記サーバが、前記第３の画像データ送信手段からの画像データを受信する第３の画像データ受信手段と、前記第３の画像データ受信手段によって受信した画像データを前記画像形成装置に送信する第４の画像データ送信手段とを有し、前記画像形成装置が、前記第４の画像データ送信手段からの画像データを受信する第４の画像データ受信手段を有することを特徴とする。
【００１５】
また、本発明は、前記サーバが、前記第２の画像データ送信手段によって画像データを送信した後、前記第３の画像データ受信手段によって画像データを受信するまでの間、前記第２の画像データ送信手段によって画像データを送信したクライアントに対して稼動中かを問い合わせる問合せ手段を有し、前記クライアントが、前記第２の画像データ受信手段によって画像データを受信した後、第３の画像データ送信手段によって画像データを送信するまでの間、前記問合せ手段による問い合わせに応答する応答手段を有することを特徴とする。
【００１６】
また、本発明は、前記処理能力情報送信手段によって送信する処理能力情報が自機のＣＰＵ速度であることを特徴とする。
【００１７】
また、本発明は、前記処理能力情報送信手段によって送信する処理能力情報が自機のベンチマーク結果であることを特徴とする。
【００１８】
【発明の実施の形態】
以下、本発明の実施の形態を図面を参照して説明する。
【００１９】
ここで、図１を参照して本実施の形態の画像形成システムの構成および基本動作について説明する。
【００２０】
図１は、本発明による画像形成システムの一実施の形態のシステム構成を示すブロック図である。
【００２１】
本実施の形態では、画像形成装置の例として電子写真方式のディジタル複写機を挙げ、情報処理装置の例としてＰＣ（パソコン）を挙げて説明する。
【００２２】
図１に示すように、本実施の形態の画像形成システムは、ディジタル複写機１と、ディジタル複写機２と、ＰＣ３と、ＰＣ４と、ＰＣ５とをネットワーク６で接続して構成される。
【００２３】
ディジタル複写機１および２は、それぞれが単独で原稿の読み取り（スキャン）および画像形成（プリント）が可能なものであり、そのほかに、ネットワーク６に接続されることにより、たとえばディジタル複写機１で読み取った画像をディジタル複写機２に転送しディジタル複写機２で画像形成したり、その逆も可能である。すなわち、ディジタル複写機１や２で読み取った画像をネットワーク６を介して他の装置に転送したり、ネットワーク６を介して他の装置から受け取った画像をディジタル複写機１や２で画像形成したりすることが可能である。
【００２４】
また、本実施の形態は、ネットワーク６にＰＣ３、４、５も接続されて構成されている。このＰＣ３〜５のそれぞれは、ネットワーク６を介して得た画像データに対して画像処理を施す画像処理手段を有し、この画像処理手段によって、ディジタル複写機１や２から送信された画像データに対して所定の画像処理を施す。この画像処理としては、輝度調整、色調調整、階調調整、画像のトリミング、画像のシャープ化、ソフト化、面付けなど、画像データに対して施されるすべての画像処理が対象となる。
【００２５】
ネットワーク６は、たとえばイーサネット（登録商標）やトークンリング等のＬＡＮやそのほかインターネットなど、どのようなネットワークでもかまわない。ネットワーク６に接続された各装置のそれぞれには、予めネットワーク上のアドレス（たとえばＩＰアドレス）が設定されており、各装置はこのアドレスによって識別され、ネットワーク６に接続された他の装置との通信を行う。
【００２６】
なお、図１では、ディジタル複写機すなわち画像形成装置とＰＣすなわち情報処理装置との数的関係が多対多となっているが、これが１対多となってもかまわないことはいうまでもない。
【００２７】
図２は、図１に示したディジタル複写機１の構成を示すブロック図である。
【００２８】
図１に示したディジタル複写機１および２は、本実施の形態に関わる基本構成は同様であるので、ここでは代表してディジタル複写機１について説明する。
【００２９】
ディジタル複写機１は、図１に示したネットワーク６とのインタフェースであるネットワーク接続手段１１と、ディジタル複写機１全体の動作を制御する制御手段１２と、原稿から画像を読み取る画像読取手段１３と、たとえば紙などに画像を形成する画像形成手段１４と、画像読取手段１３が読み取った画像データやそのほかディジタル複写機１の動作に必要なパラメータ等を記憶する記憶手段１５と、ユーザがディジタル複写機１に対する操作、指示等を入力する入力手段１６と、ユーザに対して様々な情報を表示する表示手段１７とを有して構成される。なお、入力手段１６と表示手段１７とは、タッチパネルのように一体化した操作画面で構成されることもあり得る。
【００３０】
図３は、図１に示したＰＣ３の構成を示すブロック図である。
【００３１】
図１に示したＰＣ３、４および５は、本実施の形態に関わる基本構成は同様であるので、ここでは代表してＰＣ３について説明する。
【００３２】
ＰＣ３は、図１に示したネットワーク６とのインタフェースであるネットワーク接続手段３１と、ＰＣ３全体の動作を制御する制御手段３２と、制御手段３２で実行する、本実施の形態の画像形成システムの一員としての動作を実行するためのプログラムや、画像データに対して画像処理を施すための画像処理プログラムや、受信した画像データなどを記憶する記憶手段３３と、ユーザがＰＣ３に対する操作、指示等を入力する入力手段３４と、ユーザに対して様々な情報を表示する表示手段３５とを有して構成される。
【００３３】
次に、本実施の形態の動作について説明する。
【００３４】
図４は、図１に示した画像形成システムにおけるデータの流れについて説明する図である。
【００３５】
本実施の形態の画像形成システムでは、ＰＣ３、４、５のうちのいずれか１台が、画像処理を分散させる際の中継となるサーバとしての役割を担うことになる。ここでは、ＰＣ３をサーバとし、他のＰＣ４、ＰＣ５をサーバから画像処理の依頼を受けるクライアントＰＣとする場合の例について説明する。
【００３６】
すなわち、本実施の形態では、図４に示すように、ディジタル複写機１とＰＣ（サーバ）３とがデータのやり取りを行い、また、ＰＣ（サーバ）３とＰＣ（クライアントＰＣ）４とがデータのやり取りを行い、さらに、ＰＣ（サーバ）３とＰＣ（クライアントＰＣ）４、５とがデータのやり取りを行う。
【００３７】
図５は、図１に示した画像形成システムの動作のフローチャートを示す図である。
【００３８】
まず、ディジタル複写機１は、画像データに対して画像処理を施す必要が生じた場合、予めサーバとして定めたＰＣ３に対して画像データや施すべき画像処理に関する情報等を送信する（Ａ−１）。なお、画像処理の内容によってはディジタル複写機内部で用が済む画像処理もあり、この場合は本実施の形態の対象外、すなわちディジタル複写機からサーバに対して画像処理の依頼をしないようにしてもよい。
【００３９】
ここではＰＣ３をサーバとしているが、他のＰＣをサーバとしてもかまわない。また、どのＰＣをサーバとするかは、予めディジタル複写機１において登録したＰＣの中から選択するのが望ましい。これは、ディジタル複写機１がネットワーク６に接続されたＰＣを自動的に探索し、サーバを定める方式だとセキュリティ上の問題が生じる可能性があるからである。
【００４０】
また、ディジタル複写機１がサーバに対して画像データ等を送信する際には、施すべき画像処理に関する情報等を先に送り、画像読取手段１３によって画像を読み取りながら、読み取りの完了したページの画像データから順々に送信するのがよい。このようにすれば、画像データの読み取りを行いながら、前のページの画像データに対する処理をサーバ側で行うことができるため、一連の処理を早く完了させることができる。
【００４１】
次に、ディジタル複写機１から画像データ等を受信したＰＣ３では、ネットワーク６に接続された他のＰＣ（クライアントＰＣ）を探索し、各ＰＣ（ここではＰＣ４、５）に対してアクセスする（Ａ−２、Ａ−３、Ａ−４、Ａ−５、Ａ−６）。
【００４２】
このアクセスの具体的な一例としては、まず、ポーリング（問い合わせ）を行い、クライアントＰＣからの応答があるかどうかを調べる（Ａ−３）。
【００４３】
ステップ（Ａ−３）において応答があった場合、そのクライアントＰＣからサーバに対して、自装置（クライアントＰＣ）の処理能力情報（ＣＰＵの処理速度や、予め測定したベンチマークの結果や、メモリやハードディスクの空き容量や、データ通信の際に対応可能な転送速度等の情報）を送信する。サーバではこの処理能力情報を受信する（Ａ−４）。
【００４４】
ステップ（Ａ−３）において応答がなかった場合には、そのクライアントＰＣは、現在動作不可能な状態であるとみなして（Ａ−５）他のクライアントＰＣに対して処理を続行する。
【００４５】
クライアントＰＣに対するアクセスが終了したならば、画像処理を任せることができるクライアントＰＣの数を把握し（Ａ−７）、各クライアントＰＣに対して画像処理を分散させ、それぞれの処理能力に見合った量の画像処理を依頼する（Ａ−８）。このとき、サーバも分散先の１つとして利用し、サーバの処理能力に見合った画像処理を実行してもよいことはいうまでもない。
【００４６】
また、サーバからクライアントＰＣに対して画像処理を分配して依頼する際には、依頼する画像データが何頁目の画像データであるかの情報や処理が完了した際に返送する宛先（サーバのネットワークにおけるアドレス等）の情報を付加して送信するのがよい。
【００４７】
また、分散処理させようとする画像処理に機密レベルを設け、この機密レベルに応じて、処理を分配するＰＣを制限するようにしてもよい。
【００４８】
ここで、上記ステップ（Ａ−７）および（Ａ−８）の処理についてさらに詳しく説明する。
【００４９】
本実施の画像形成システムは、ディジタル複写機から依頼された画像処理をネットワークに接続された複数のＰＣで分散して処理することにより、効率よく処理を完了させようとするときに、分散先のＰＣの処理能力を把握し、各ＰＣにおいて均等な処理完了時間となるように制御しようとするものである。
【００５０】
このため、ステップ（Ａ−７）では、ステップ（Ａ−３）において応答がなく、処理能力情報を送信してこないＰＣは、分散先のクライアントＰＣ数からは除外する。
【００５１】
また、応答があったＰＣであったとしても、現在他の処理を実行中で、十分な処理能力を発揮することができない場合にはその旨をサーバに対して送信する制御を行うのがよい。このとき、サーバでは、このようなＰＣについても分散先のクライアントＰＣ数から除外することができる。
【００５２】
次に、ステップ（Ａ−８）について説明する。
【００５３】
ＰＣの処理能力としては、上述のように、ＣＰＵ速度、メモリ容量、ハードディスク容量、ネットワーク通信速度等が挙げられる。
【００５４】
まず、ＣＰＵ速度に基づいて画像処理の配分を変える例について説明する。ここでは、分散先のＰＣが、ＰＣ１、ＰＣ２、ＰＣ３の３つであり、それぞれのＣＰＵ速度がＰＣ１：２００ＭＨｚ、ＰＣ２：３００ＭＨｚ、ＰＣ３：５００ＭＨｚであるとする。
【００５５】
この場合において、１００頁の画像データに対して画像処理を施す依頼があったとき、数１〜数３によって、各ＰＣに分配される画像のページ数が求められる。
【００５６】
【数１】
ＰＣ１Ｐ＝（ＰＣ１のＣＰＵ速度／（ＰＣ１のＣＰＵ速度＋ＰＣ２のＣＰＵ速度＋ＰＣ３のＣＰＵ速度）×総頁数
＝（２００ＭＨｚ／（２００ＭＨｚ＋３００ＭＨｚ＋５００ＭＨｚ））×１００頁
【００５７】
【数２】
ＰＣ２Ｐ＝（ＰＣ２のＣＰＵ速度／（ＰＣ１のＣＰＵ速度＋ＰＣ２のＣＰＵ速度＋ＰＣ３のＣＰＵ速度）×総頁数
＝（３００ＭＨｚ／（２００ＭＨｚ＋３００ＭＨｚ＋５００ＭＨｚ））×１００頁
【００５８】
【数３】
ＰＣ３Ｐ＝（ＰＣ３のＣＰＵ速度／（ＰＣ１のＣＰＵ速度＋ＰＣ２のＣＰＵ速度＋ＰＣ３のＣＰＵ速度）×総頁数
＝（５００ＭＨｚ／（２００ＭＨｚ＋３００ＭＨｚ＋５００ＭＨｚ））×１００頁
なお、ＰＣ１ＰはＰＣ１に分配される画像データの頁数、ＰＣ２ＰはＰＣ２に分配される画像データの頁数、ＰＣ３ＰはＰＣ３に分配される画像データの頁数である。
【００５９】
また、数１〜数３の結果、分配する画像データの頁数に余りが出た場合には、ＣＰＵ速度が一番速いＰＣに分配してもよいし、すでに分配された処理が最も早く終了したＰＣに再分配してもよい。
【００６０】
次に、ベンチマークの結果に基づいて画像処理の配分を変える例について説明する。ここでは、分散先のＰＣが、ＰＣ１、ＰＣ２、ＰＣ３の３つであり、それぞれのベンチマークの結果がＰＣ１：２ｍｓｅｃ、ＰＣ２：３ｍｓｅｃ、ＰＣ３：５ｍｓｅｃであるとする。
【００６１】
この場合において、１００頁の画像データに対して画像処理を施す依頼があったとき、数４〜数６によって、各ＰＣに分配される画像のページ数が求められる。
【００６２】
【数４】
ＰＣ１Ｐ’＝（ＰＣ１のベンチマーク結果の逆数／（ＰＣ１のベンチマーク結果の逆数＋ＰＣ２のベンチマーク結果の逆数＋ＰＣ３のベンチマーク結果の逆数）×総頁数
＝（１／２ｍｓｅｃ／（１／２ｍｓｅｃ＋１／３ｍｓｅｃ＋１／５ｍｓｅｃ））×１００頁
【００６３】
【数５】
ＰＣ２Ｐ’＝（ＰＣ２のベンチマーク結果の逆数／（ＰＣ１のベンチマーク結果の逆数＋ＰＣ２のベンチマーク結果の逆数＋ＰＣ３のベンチマーク結果の逆数）×総頁数
＝（１／３ｍｓｅｃ／（１／２ｍｓｅｃ＋１／３ｍｓｅｃ＋１／５ｍｓｅｃ））×１００頁
【００６４】
【数６】
ＰＣ３Ｐ’＝（ＰＣ３のベンチマーク結果の逆数／（ＰＣ１のベンチマーク結果の逆数＋ＰＣ２のベンチマーク結果の逆数＋ＰＣ３のベンチマーク結果の逆数）×総頁数
＝（１／５ｍｓｅｃ／（１／２ｍｓｅｃ＋１／３ｍｓｅｃ＋１／５ｍｓｅｃ））×１００頁
なお、ＰＣ１Ｐ’はＰＣ１に分配される画像データの頁数、ＰＣ２Ｐ’はＰＣ２に分配される画像データの頁数、ＰＣ３Ｐ’はＰＣ３に分配される画像データの頁数である。
【００６５】
また、数４〜数６の結果、分配する画像データの頁数に余りが出た場合には、ベンチマーク結果が一番速いＰＣに分配してもよいし、すでに分配された処理が最も早く終了したＰＣに再分配してもよい。
【００６６】
図６は、図１に示した画像形成システムの動作のフローチャートを示す図であり、図５に示した処理の続きを示す図である。
【００６７】
図５に示したステップ（Ａ−８）に続き、サーバでは、画像処理を分配して処理の依頼をしたクライアントＰＣが処理中に落ちていないかを、一定間隔で調査する。
【００６８】
すなわち、クライアントＰＣからの応答を確認し（Ａ−９）、応答がないクライアントＰＣが存在する場合には、そのクライアントＰＣに割り当ててあった画像処理を、他の正常稼動中のクライアントＰＣに再分配する（Ａ−１０、Ａ−１１）。
【００６９】
クライアントＰＣでは、処理を終えたら画像処理後の画像データ等をサーバに対して返送する。分散処理したすべての画像処理が終了し、すべての画像処理後の画像データを受信したサーバでは、画像データを頁順に並べなおしたり、ジョブの編集を行い、出力時刻の設定など画像出力に向けての後処理を行い（Ａ−１２）、そのデータをディジタル複写機１に転送する（Ａ−１３）。
【００７０】
【発明の効果】
以上説明したように、本発明によれば、ネットワークに接続された複数の画像形成装置と情報処理装置とから成る画像形成システムにおいて、画像形成に際してユーザが所望する画像処理を画像データに対して施すときに効率的に画像処理を完了させることができる画像形成システムを提供することができる。
【００７１】
すなわち本発明によれば、サーバにおいて、クライアントサーバの処理能力を把握し、それぞれおの能力に見合った分量の画像処理を分配するので、画像形成システム全体として最速な画像処理を実現することができる。
【図面の簡単な説明】
【図１】本発明による画像形成システムの一実施の形態のシステム構成を示すブロック図である。
【図２】図１に示したディジタル複写機の構成を示すブロック図である。
【図３】図１に示したＰＣの構成を示すブロック図である。
【図４】図１に示した画像形成システムにおけるデータの流れについて説明する図である。
【図５】図１に示した画像形成システムの動作のフローチャートを示す図である。
【図６】図１に示した画像形成システムの動作のフローチャートを示す図であり、図５に示した処理の続きを示す図である。
【符号の説明】
１、２　ディジタル複写機
３、４、５　ＰＣ
６　ネットワーク
１１　ネットワーク接続手段
１２　制御手段
１３　画像読取手段
１４　画像形成手段
１５　記憶手段
１６　入力手段
１７　表示手段
３１　ネットワーク接続手段
３２　制御手段
３３　記憶手段
３４　入力手段
３５　表示手段
【図１】
2004021740.tif 000003
【図２】
2004021740.tif 000004
【図３】
2004021740.tif 000005
【図４】
2004021740.tif 000006
【図５】
2004021740.tif 000007
【図６】
2004021740.tif 000008